【手続補正書】
【提出日】平成29年12月8日(2017.12.8)
【手続補正１】
【補正対象書類名】特許請求の範囲
【補正対象項目名】全文
【補正方法】変更
【補正の内容】
【特許請求の範囲】
【請求項１】
画像読取部と、
前記画像読取部にシートを搬送する搬送部と、を備える画像読取装置において、
前記搬送部は、
対向ローラの下方に設けられた第一のローラと、
前記第一のローラを保持し、回転軸に回転可能に設けられた第一のローラ保持部と、
前記第一のローラを前記対向ローラに接触させるように前記第一のローラ保持部を付勢する第一の付勢部と、
を備える、第一のローラユニットと、
前記対向ローラの下方に設けられた第二のローラと、
前記第二のローラを保持し、回転軸に回転可能に設けられた第二のローラ保持部と、
前記第二のローラを前記対向ローラに接触させるように前記第二のローラ保持部を付勢する第二の付勢部と、
を備える、第二のローラユニットと、を備え、
前記第一のローラユニットと前記第二のローラユニットは、シートの搬送方向において画像読取位置の前記画像読取部の上流の位置に配置され、且つシートの搬送方向と直交する方向において異なる位置に配置され、
前記第一のローラ保持部は、前記第一のローラよりもシート搬送方向の下流に延伸した第一の延伸部を備え、
前記第二のローラ保持部は、前記第二のローラよりもシート搬送方向の下流に延伸した部分を有さないことを特徴とする画像読取装置。
【請求項２】
前記第一のローラユニットは、シートの搬送方向と直交する方向において中央に配置され、前記第二のローラユニットは、シートの搬送方向と直交する方向において端部に配置されていることを特徴とする請求項１に記載の画像読取装置。
【請求項３】
前記第一のローラユニットは、シートの搬送方向と直交する方向において端部に配置され、前記第二のローラユニットは、シートの搬送方向と直交する方向において中央に配置されていることを特徴とする請求項１に記載の画像読取装置。
【請求項４】
シートの搬送方向と直交する方向において、前記第一の延伸部と異なる位置でシートをガイドすることが可能な搬送ガイドを備え、
前記第一の延伸部のシート搬送方向の下流部は、前記搬送ガイドのガイド面よりも、下方に位置することを特徴とする請求項１乃至３のいずれか１項に記載の画像読取装置。
【請求項５】
画像読取部と、
前記画像読取部にシートを搬送する搬送部と、を備える画像読取装置において、
前記搬送部は、
対向ローラの下方に設けられた第一のローラと、
前記第一のローラを保持し、回転軸に対して回転可能に設けられた第一のローラ保持部と、
前記第一のローラを前記第一の対向ローラに接触させるように前記第一のローラ保持部を付勢する第一の付勢部と、
を備える、第一のローラユニットと、
前記対向ローラの下方に設けられた第二のローラと、
前記第二のローラを保持し、回転軸に対して回転可能に設けられた第二のローラ保持部と、
前記第二のローラを前記第二の対向ローラに接触させるように前記第二のローラ保持部を付勢する第二の付勢部と、
を備える、第二のローラユニットと、を備え、
前記第一のローラユニットと前記第二のローラユニットは、シートの搬送方向において画像読取位置の前記画像読取部の直上流の位置に配置され、且つシートの搬送方向と直交する方向において異なる位置に配置され、
前記第一のローラ保持部は、前記第一の従動ローラよりもシート搬送方向の下流に延伸した第一の延伸部を備え、
前記第二のローラ保持部は、前記第二の従動ローラよりもシート搬送方向の下流に延伸した第二の延伸部を備え、
前記第一の延伸部は、前記第二の延伸部よりも、延伸した量が多いことを特徴とする画像読取装置。
【請求項６】
前記第一のローラユニットは、シートの搬送方向と直交する方向において中央に配置され、前記第二のローラユニットは、シートの搬送方向と直交する方向において端部に配置されていることを特徴とする請求項５に記載の画像読取装置。
【請求項７】
前記第一のローラユニットは、シートの搬送方向と直交する方向において端部に配置され、前記第二のローラユニットは、シートの搬送方向と直交する方向において中央に配置されていることを特徴とする請求項５に記載の画像読取装置。
【請求項８】
シートの搬送方向と直交する方向において、前記第一の延伸部と異なる位置でシートをガイドすることが可能な搬送ガイドを備え、
前記第一の延伸部のシート搬送方向の下流部は、前記搬送ガイドのガイド面よりも、下方に位置することを特徴とする請求項５乃至７のいずれか１項に記載の画像読取装置。
【請求項９】
前記対向ローラは、駆動源から駆動を受けて回転をする駆動ローラであることを特徴とする請求項１乃至８のいずれか１項に記載の画像読取装置。
【請求項１０】
画像読取部と、
前記画像読取部にシートを搬送する搬送部と、を備える画像読取装置において、
前記搬送部は、
駆動ローラと、
前記駆動ローラに接触可能に設けられ、シート搬送方向と直交する方向に複数配置された従動ローラと、
前記従動ローラのそれぞれを支持するための複数のローラ保持部と、
前記ローラ保持部のそれぞれに設けられ、シート搬送方向の下流に延伸する延伸部と、を備え、
前記延伸部は、シート搬送方向の下流に延伸する長さが異なることを特徴とする画像読取装置。
【請求項１１】
シート搬送方向と直交する方向において、シートの搬送路の中央側の前記従動ローラを保持する前記ローラ保持部の前記延伸部の長さと前記搬送路の両端側の前記従動ローラを保持する前記ローラ保持部の前記延伸部の長さとが異なることを特徴とする請求項１０に記載の画像読取装置。
【請求項１２】
前記搬送路の中央側の前記従動ローラを保持する前記ローラ保持部の前記延伸部の長さは、前記搬送路の両端側の前記従動ローラを保持する前記ローラ保持部の前記延伸部の長さよりも長いことを特徴とする請求項１１に記載の画像読取装置。
【請求項１３】
前記搬送路の両端側の前記従動ローラを保持する前記ローラ保持部の前記延伸部の長さは前記搬送路の中央側の前記従動ローラを保持する前記ローラ保持部の前記延伸部の長さよりも長いことを特徴とする請求項１１に記載の画像読取装置。
【請求項１４】
前記ローラ保持部のそれぞれの前記延伸部を前記従動ローラの外周よりもシート搬送方向の下流に延伸させ、前記外周から前記延伸部の下流端までの長さが異なることを特徴とする請求項１０乃至１３のいずれか１項に記載の画像読取装置。
【請求項１５】
画像読取部と、
前記画像読取部にシートを搬送する搬送部と、を備える画像読取装置において、
前記搬送部は、
駆動ローラと、
前記駆動ローラに接触可能に設けられ、シート搬送方向と直交する方向に複数配置された従動ローラと、
前記従動ローラのそれぞれを支持するための複数のローラ保持部と、
を備え、
複数の前記ローラ保持部は、シート搬送方向の下流に延伸する延伸部を有するものと、シート搬送方向の下流に延伸する延伸部を有さないものとを含むことを特徴とする画像読取装置。
【請求項１６】
シート搬送方向と直交する方向において、シートの搬送路の中央側の前記従動ローラを保持する前記ローラ保持部は前記延伸部を有し、前記搬送路の両端側の前記従動ローラを保持する前記ローラ保持部は前記延伸部を有さないことを特徴とする請求項１５に記載の画像読取装置。
【請求項１７】
シート搬送方向と直交する方向において、シートの搬送路の両端側の前記従動ローラを保持する前記ローラ保持部は前記延伸部を有し、前記搬送路の中央側の前記従動ローラを保持する前記ローラ保持部は前記延伸部を有さないことを特徴とする請求項１５に記載の画像読取装置。
【請求項１８】
画像形成を行う画像形成部と、
請求項１乃至１７のいずれか１項に記載の画像読取装置と、
を有することを特徴とする画像形成装置。
【手続補正２】
【補正対象書類名】明細書
【補正対象項目名】００１２
【補正方法】変更
【補正の内容】
【００１２】
上記目的を達成するための本発明の代表的な構成は、画像読取部と、前記画像読取部にシートを搬送する搬送部と、を備える画像読取装置において、前記搬送部は、対向ローラの下方に設けられた第一のローラと、前記第一のローラを保持し、回転軸に回転可能に設けられた第一のローラ保持部と、前記第一のローラを前記対向ローラに接触させるように前記第一のローラ保持部を付勢する第一の付勢部と、を備える、第一のローラユニットと、前記対向ローラの下方に設けられた第二のローラと、前記第二のローラを保持し、回転軸に回転可能に設けられた第二のローラ保持部と、前記第二のローラを前記対向ローラに接触させるように前記第二のローラ保持部を付勢する第二の付勢部と、を備える、第二のローラユニットと、を備え、前記第一のローラユニットと前記第二のローラユニットは、シートの搬送方向において画像読取位置の前記画像読取部の上流の位置に配置され、且つシートの搬送方向と直交する方向において異なる位置に配置され、前記第一のローラ保持部は、前記第一のローラよりもシート搬送方向の下流に延伸した第一の延伸部を備え、前記第二のローラ保持部は、前記第二のローラよりもシート搬送方向の下流に延伸した部分を有さないことを特徴とする画像読取装置である。